(57)【要約】オンスクリーンメッセージ表示能力を有するビデオ表示においてデータを表示する方法。この方法は、表示においてデジタルデータにアクセスする段階、及び、デジタルデータのオンスクリーンメッセージ表示の一部を形成するキャラクタとして各々のデータビットを表示する段階から構成される。
2004531108.tif 000002
【特許請求の範囲】
【請求項１】
オンスクリーンメッセージ表示能力を有するビデオ表示においてデータを表示するための方法であって：
ａ）遠隔制御データを受け取る段階；
ｂ）前記表示において前記遠隔制御データにアクセスする段階；並びに
ｃ）トレースインターバルの間に、オンスクリーン表示を形成するキャラクタとして各々の前記遠隔制御データのビットを表示する段階；
から構成されることを特徴とする方法。
【請求項２】
請求項１に記載の方法であって、前記ビデオ表示のためのオペレーティングモードを選択する段階から更に構成される、ことを特徴とする方法。
【請求項３】
請求項２に記載の方法であって、前記選択する段階により選択される前記オペレーティングモードはサービスモードである、ことを特徴とする方法。
【請求項４】
請求項１に記載の方法であって、前記表示する段階は、論理０値を有する各々の前記ビットを表すためにキャラクタのセットから第１キャラクタを選択する手順から更に構成される、ことを特徴とする方法。
【請求項５】
請求項４に記載の方法であって、前記表示する段階は、論理１値を有する各々の前記ビットを表すためにキャラクタのセットから第２キャラクタを選択する手順から更に構成される、ことを特徴とする方法。
【請求項６】
請求項５に記載の方法であって、前記表示する段階は、行として各々の前記ビットを表す前記第１及び第２キャラクタを形成する手順から更に構成される、ことを特徴とする方法。
【請求項７】
請求項６に記載の方法であって、前記表示する段階は、オンスクリーンメッセージ表示のために前期第１および第２キャラクタの前記行に結合させる手順から更に構成される、ことを特徴とする方法。
【請求項８】
ビデオ表示において信号を表示するオンスクリーン表示能力をもつビデオ表示を行う方法であって：
ａ）前記表示においてアナログ信号にアクセスする段階；
ｂ）デジタルワードを形成するために前記アナログ信号を量子化する段階；並びに
ｃ）前記アナログ信号のオンスクリーン表示の一部を形成するキャラクタとして前記デジタルワードの一部を表示する段階；
から構成されることを特徴とする方法。
【請求項９】
請求項８に記載の方法であって、前記表示する段階は、前記デジタルワードの第１デジタル値を表示するためのオンスクリーンメッセージキャラクタのセットから所定のキャラクタを選択する手順から更に構成される、ことを特徴とする方法。
【請求項１０】
請求項９に記載の方法であって、前記表示する段階は、前記デジタルワードのデジタル値を表す列の高さを有する前記所定のキャラクタの列を形成する手順から更に構成される、方法。
【請求項１１】
請求項８に記載の方法であって、前記表示する段階は、各々の前記デジタルワードの表示値を表示するために、オンスクリーンメッセージキャラクタのセットからの所定のグループのキャラクタから、異なるキャラクタを選択する手順から更に構成される、方法。
【請求項１２】
オンスクリーンメッセージ表示能力を有するビデオ表示における遠隔制御データの表示のための方法であって：
ａ）前記ビデオ表示のためにオペレーティングモードを選択する段階；
ｂ）遠隔制御コマンドを受け取る段階；並びに
ｃ）前記遠隔制御コマンドからデータを表示する段階；
から構成されることを特徴とする方法。
【請求項１３】
請求項１２に記載の方法であって、前記表示する段階は：
ｄ）前記ビデオ表示による表示のために記憶されるキャラクタのセットからの第１キャラクタとして前記遠隔制御コマンドから論理０データビットを表す手順；
から更に構成される、ことを特徴とする方法。
【請求項１４】
請求項１３に記載の方法であって、前記表示する段階は：
ｅ）前記ビデオ表示による表示のために記憶されるキャラクタのセットからの第２キャラクタとして前記遠隔制御コマンドから論理１データビットを表す手順；
から更に構成される、ことを特徴とする方法。
【請求項１５】
請求項１２に記載の方法であって、前記表示する段階は：
ｆ）前記遠隔制御コマンドから前記データを表す表示のために記憶されたキャラクタを選択する手順；
から更に構成される、ことを特徴とする方法。
【請求項１６】
請求項１５に記載の方法であって、前記選択する段階は：
ｇ）各々の論理状態に特有の特徴をもつ前記遠隔制御コマンドからデータの論理状態を表す手順；
から更に構成される、ことを特徴とする方法。
【請求項１７】
オンスクリーンメッセージ表示及び遠隔制御能力を有するビデオ表示装置であって：
遠隔制御コマンドを受け取り且つ遠隔制御コマンドからデータを形成するための遠隔制御メッセージレシーバ；
前記データを受け取るコントローラ；並びに
前期コントローラに接続され、前記遠隔制御コマンドから形成される前記データに応じた表示のためにキャラクタを生成するオンスクリーン表示ジェネレータ；
から構成されることを特徴とするビデオ表示装置。
【請求項１８】
請求項１７に記載のビデオ表示装置であって、前記ビデオ表示装置は特定のオペレーティングモードにおいて動作し、前記コントローラは、前記データにある論理状態にしたがって特定のキャラクタが生成されるように、前記オンスクリーン表示ジェネレータに接続するために前記データを処理する、ことを特徴とするビデオ表示装置。
【請求項１９】
請求項１８に記載のビデオ表示装置であって、前記特定のオペレーティングモードはサービスモードである、ことを特徴とするビデオ表示装置。
【請求項２０】
請求項１７に記載のビデオ表示装置であって、前記キャラクタはクローズドキャプションキャラクタのセットからのものである、ことを特徴とするビデオ表示装置。
【請求項２１】
マイクロコントローラと記憶された表示可能なキャラクタのセットを有する、ビデオ表示に関連する電子装置のための診断方法であって：
ａ）前記装置におけるテストモードを開始する段階；
ｂ）前記装置のオペレーティングパラメータをテストする段階；並びに
ｃ）前記クローズドキャプションキャラクタのセットからキャラクタを用いて前記テストする段階の結果を表示する段階；
から構成される方法。
【発明の詳細な説明】
【０００１】
（技術分野）
本発明は、ビデオ画像表示装置の分野に関し、特に、診断補助としてオンスクリーンメッセージ表示能力を利用するためのビデオ画像表示装置に関する。
【０００２】
（背景技術）
米国において１３インチまたはそれ以上の大きさのスクリーンが用いられるテレビ表示装置は、復号化するため及びクローズドキャプションメッセージを表示するために必要とされる。このような要求は、オンスクリーン表示即ちＯＳＤ（Ｏｎ Ｓｃｒｅｅｎ Ｄｉｓｐｌａｙ）の能力を提供する、行、列、色および基本的キャラクタセットの数を含むキャラクタベースの表示能力の共通のセットを特定する。更に、そのようなオンスクリーン表示能力は、例えば、チャンネル選択、オーディオとビデオの設定、及びメンテナンス調整等のユーザ制御による表示を容易にすることが可能である。オンスクリーンメッセージは、記憶されたキャラクタのセットからマイクロコントローラにより生成され、表示のために結合されるＲ、Ｇ及びＢのビデオ信号に挿入される。
【０００３】
ときには、テレビ又はビデオ表示装置におけるメンテナンス又は問題点の診断に、特定波形の存在及び定量的特性を確定するために、オシロスコープ又はロジックアナライザを用いることが必要である。例えば、携帯型の遠隔制御ユニットから発生する赤外線即ちＩＲリモート信号は、そのような信号の光の波長、変調周波数等の特定の特性に敏感な回路によって表示装置内で一般に検出される。検出される信号であって、しばしばエンベロープ信号と呼ばれる信号は、シリアルデジタル信号として表示装置内で他の機能システムに結合される。このような他のシステムは、一般に信号を複合化し、次いで、所望の応答の生成が実行されるように意図された遠隔制御コマンドを再構成する。しかしながら、例えば、特に、サードパーティのセットトップボックスが、結合される表示装置から検出された赤外線信号を受け取り、その信号を複合化し、そして適切な動作が開始するとき、遠隔制御ユニットは表示装置に未知の符号化された制御信号を生成することが可能である。いずれの構成においても、予想されるコマンドが実行されるとき、遠隔制御に関してボタンを押すことに応答する、予想される一般的な信号パターンを表すかどうかを評価するために、中間の信号又は復号化された信号をモニタすることは有用である。このようにして、信号をモニタリングするポイントに先立つかまたはそれに続くポイントに対して、問題点を分離することが可能である。
【０００４】
更に、表示装置においては、種々の機能ブロックはシリアル通信バスを通って、定期的な間隔をおいて機能ブロック間で通信し、そのような機能ブロックの多くは、制御ループの一部として内部のフィードバック信号を用いる。明らかに、簡単でコストパフォーマンスの良いモニタリングの配置が、受け取られる制御信号シーケンスを表示するため又はビデオ表示装置の一般的電子状態を診断するために、必要とされている。
【０００５】
（発明の概要）
ビデオ表示装置のメンテナンス又は診断を容易にするために、そして高価で大きいテスト装置の使用を回避するために、本発明の配置は、オンスクリーンメッセージ表示能力を用いることによる表示においてデータを表示する。この方法は、その表示においてデジタルデータにアクセスする段階と、デジタルデータのオンスクリーンメッセージ表示の一部を形成するキャラクタとして各々のデータビットを表示する段階とから構成される。
【０００６】
模範的な赤外線遠隔信号において、対象となる状態のみが変調信号の有無であり、２つの可能な表示キャラクタの１つにマッピングされた各々のサンプルをもつデジタル入力により、中間的な信号をサンプリングすることが可能である。しばしば、変調されたエンベロープ信号は、遠隔制御コマンドの正常な復号化の目的のためにデジタルインタフェース接続において存在する。受け取られた赤外線送信の汎用フォーマットは、眼で見えるように表示されることが可能であり、既知の又は期待されるフォーマットに対する表示される信号フォーマットの比較を可能とする。したがって、表示装置又はセットトップボックス等のサードパーティの装置が成功裏に復号化し且つ適切な応答を実行するかどうかに拘わらず、表示装置が遠隔制御送信を受け取ったか、又はそうでなく検出したかを確認することが可能である。
【０００７】
本発明の表示キャラクタを用いることを、視覚的比較及び認識のために表すことが可能である表示装置内に存在する他のデジタル信号の確認に、同様に適用することができることは、留意するべきである。
【０００８】
更に、本発明の配置は、一般的な比較及び認識のためのアナログ信号の確認についての眼に見える表示を提供することができる。量子化状態を表す２つ又はそれ以上の表示キャラクタにマッピングされる２つ又はそれ以上の状態の量子化された値を得る、例えばアナログデジタル変換により、そのような信号のサンプルを得ることが可能である。
【０００９】
（発明の詳細な説明）
図１は、オンスクリーン表示能力と共にビデオ表示装置２００について示すブロック図である。模範的なビデオ表示装置２００は、有線放送、衛星放送又は地上放送からＲＦ変調信号を受け取ることが可能であるチューニング装置を含む入力信号ソースセレクタ２３０を備える。更に、入力信号ソースセレクタ２３０は、例えば、ＶＣＲ、ＤＶＤ、ビデオゲームまたはコンピュータ信号ソース等からのベースバンド入力信号の選択を可能にする。入力信号ソースセレクタ２３０から選択された信号は、例えば、表示スクリーン２０１に結合されたＲＧＢの信号のような表示装置動作信号を生成するために、同期信号と偏向の処理、オーディオ復調及び符号化された信号入力の復号化を含む複数の機能を提供することを可能とする処理配列２３５に結合される。更に、コントローラ２４０からのオンスクリーン表示（ＯＳＤ）のメッセージキャラクタが選択されたビデオ表示信号に挿入されるように、ビデオプロセッサ２３０はＯｓｄＳｗで表されるブロックの回路配列を備えている。メッセージキャラクタは記憶されたセットから生成され、コントローラ２４０により生成された制御信号Ｆｓｗに応じてビデオ表示信号に制御可能にして挿入される。表示メッセージキャラクタは、オリジナルの信号を置き換えるために表示信号に切り替えられること、またはバックグラウンド画像に重ね合わすために混合することが可能である。オンスクリーン表示キャラクタの生成と挿入の配置及び操作は周知であるため、ここでは説明を省略する。
【００１０】
ビデオ表示装置２００において、赤外線センサ２１０は、例えば遠隔制御装置１００から放射される赤外線信号１０１のような変調されたキャリアで送られる制御データを受け取る。センサ信号を増幅し、赤外線信号１０１からのエンベロープを表す出力信号２２１を形成する赤外線受信器２２０にセンサ２１０を結合する。明らかに、他の制御通信方法が可能であり、例えば、遠隔地から制御データを送るために、高周波キャリアを用いることが可能である。
【００１１】
遠隔制御信号エンベロープ、即ち信号２２１は、例えば、エンベロープパルスが論理状態０を表し、エンベロープがない場合又は小さい振幅値の場合は論理状態１を表すようにして、模範的な赤外線キャリアで変調されたデータを表す。データ認識、制御復号化及び制御コマンドアサーションのためにサンプリングされるマイクロコントローラ２４０に、エンベロープ信号２２１を結合する。また好適には、例えば、製造、アライメント及びシステム構成の間に、表示装置の外部制御を容易にするコネクタ２５０に、信号２２１を結合する。コネクタ２５０はまたスマートプラグとして知られており、有線の遠隔制御ユニットを用いることを可能にする。インタフェース回路２４２を経由してマイクロコントローラ２４０と通信する、双方向性のシリアル通信バス２４１にコネクタ２５０を接続する。更に、複数の表示装置間で表示装置システム構成パラメータをコピーし且つ複製することを可能にするコントローラ２５０に、所謂クローンボックスを結合することが可能である。
【００１２】
本発明の実施形態にしたがった第１の配置においては、マイクロコントローラ２４０が信号２２１において符号化された情報を複合化し且つ認識することが可能であるかどうかに拘わらず、遠隔制御ユニット１００からの赤外線リモート信号１０１は、マイクロコントローラ２４０により好適に処理され、エンベロープ信号２０１により表される論理状態の視覚的インジケータとして既存のキャラクタセットからキャラクタの選択をもたらす。この方法において、既存のオンスクリーンメッセージ能力を用いることにより、信号２２１におけるデータパターンをスクリーン上で見ることが可能である。表示装置のオンスクリーン表示のキャラクタセットのこの選択的使用はまた、表示装置内に存在する種々の信号の眼に見える状態での表示又は描写を可能にする。
【００１３】
デジタル波形の擬似リアルタイムのオシログラフを提供するために、論理状態を表すためのキャラクタセットからキャラクタを使用することとして捉えることができる。キャラクタベースの表示の更新における遅延のために、本発明の診断のための表示を擬似リアルタイムにおける操作として捉えることができる。しかしながら、この配置は、安価で、一級のトラブルシューティング補助であって、スクリーン描写における視認性は有用な診断表示を提供することができる。例えば、遠隔制御データは、種々の持続期間及びパルス間隔のパルスをもつパルスパターンとして符号化されたデジタルコマンド情報を表すエンベロープ信号の生成することにより、受け取られ且つ復調された赤外線信号で、一般に、変調される。このようにして、遠隔制御ユニットの特定のタイプにより生成される制御信号フォーマット及びプロトコルを、スクリーン上に描写されるとき、特定のパルス及び間隔により認識することが可能である。このようにして、受け取られた信号フォーマット又はプロトコルがテレビの表示装置により実行可能である制御データの生成に失敗した場合であっても、遠隔制御送信器とテレビ表示装置及び検出器の両者の適切な操作を確認することが可能である。
【００１４】
好適なスクリーン上にデータを表示する表示装置の操作について、以下に説明する。通常の表示操作の間に、マイクロコンピュータ２４０は、赤外線遠隔制御信号から抽出されたエンベロープ信号を受け取る。信号２２１は、データ認識、制御コマンド復号化及び制御アサーションのためにマイクロコンピュータ２４０によりサンプリングされる。しかしながら、好適には、サンプリングされたエンベロープ２２１により表される何れかの実行可能な符号を無視するか又はそれに従うために、サービスモードセレクタスイッチＳｓｗ又はユーザが秘密にした赤外線コマンドにより、マイクロコンピュータ２４０を好適にプログラムし、選択的に制御することができる。サービスモードが動作されたとき、エンベロープ信号２２１から得られる論理上体を表すために、所定のキャラクタが表示キャラクタセットから選択される。マイクロコンピュータ２４０は、サンプリングされた信号エンベロープを記憶し、記憶されたデジタルサンプルから、記憶されたデジタル信号値を表すキャラクタの文字列を形成する。例えば、記憶されたサンプルの論理が１である場合、第１の所定のキャラクタコードが論理状態１を表すために選択される。同様に、記憶されたサンプルの論理が０の場合、第２の所定のキャラクタコードが論理状態０を表すために選択される。このようにして、遠隔制御データは、オンスクリーン表示のためにキャラクタの眼に見える状態で表すことができるキャラクタの文字列に変換される。オンスクリーンデータ表示は、制御データストリームに存在する特定のデジタルワードを確認するためにマイクロコントローラ２４０の追加のマニュアルプログラミングにより特定の制御コマンドを位置付けて、オンスクリーンデータ表示をトリガー又は同調することが可能である。スイッチＳｓｗのような配線スイッチにより、ユーザによらないで、又はサービス技術者の赤外線コマンドにより、そのようなトリガーワードを入力することができる。
【００１５】
例えば図１におけるブロック４００により表されるように、表示装置の外付けのマイクロコントローラにより、上述したように、本発明の実施形態によるデータサンプリングと表示キャラクタ文字列の生成を実行することが可能である。上述したように、例えば、セットトップボックス又は類似する装置を用いて同一のパラメータの設定又は組み合わせによる操作を必要とする、製造及びシステム構成での使用のために、又はホテル、病院及び学校等の商用環境のために、通信ポート２５０がテレビやビデオ表示装置に備えられている。このポート２５０において利用可能である信号は、インタフェース２４２を通ってマイクロコンピュータ２４０との双方向シリアル通信を可能にする、赤外線遠隔制御エンベロープ信号２２１／２５１及びデータバス２４１／４５１を含んでいる。通信ポート２５０は、セットトップボックスが表示のモニタ、管理又は制御することを可能にし、更に、通信ポート２５０は、有線の遠隔制御ユニット及び携帯型私権装置を用いることを可能にする。例えば、そのような試験装置としては、複数の総装置間の設定及び制御能力の複写を可能にする非揮発性メモリをアップロード又はダウンロードするために表示装置２００内のメモリロケーションにアクセスすることができるＴｈｏｍｓｏｎ  Ｃｌｏｎｅ  Ｐｒｏがある。そのような表示メモリの複製また、メモリクローニングとして知られている。したがって、前述のように、装置４００内にあるマイクロコントローラ４５０は、受信器２１０から結合された遠隔制御信号エンベロープ２２１／２５１の本発明のサンプリングを容易にするために、コントローラ２４０について記述されたものと同様の機能を実行することができる。更に、特定のプロダクトの符号を確認するために又は制御コマンドの評価を可能にするために、上述のように、模範的な試験装置４００におけるエントリキーパッドは、特定のデータトリガーワードの入力を容易にすることが可能である。マイクロコントローラ４５０は、信号２５１から、記憶されたサンプルの論理状態のＡＳＣＩＩの符号化キャラクタベース表示を構成する。キャラクタ文字列を表すデータは、シリアルデータストリーム４５１／２４１として表示装置２００のポート２５０に結合され、それに続くフォーマッティングのためにブロック２４２により結合され、そして、スクリーンキャラクタ表示としてコントローラ２４０により表示される。
【００１６】
眼に見えるように描写される論理状態に対するこの選択可能なオンスクリーン表示（ＯＳＤ）は、図２Ａに示すように、３４個のキャラクタの一列としての典型的な形式を備えている。例えば、赤外線変調の周期は、例えば、ダッシュ又は強調キャラクタにより表される変調がない介在期間を伴った、白のべた又は色付きのブロックで示すことが可能である。同様に、欠如したまたは間欠的なデータは、例えば、星印、感嘆符又はフラッシングキャラクタにより表示することが可能である。明らかに、既存のクローズドキャプションのキャラクタセットからの選択は、オンスクリーンデータ表示のためにコストを最小にする解決法を提供する。しかしながら、例えば、疑問符、より大きい及びより小さい意味の記号を示す矢頭等の特定の他のオンスクリーンキャラクタは、信号の状態又は発生についての有用な表示を提供するものとして認識される。
【００１７】
図１の配置は、本発明の実施形態にしたがった遠隔制御符号のオンスクリーン表示を示しているが、常駐の表示マイクロコントローラと表示キャラクタのセットを用いる表示における信号に、この好適な信号視覚化方法を適用することが可能であることは明らかである。更に、多くの表示の特徴又は制御による調整は、ノブやスイッチのようなハードウェアインタフェースによりアクセス可能ではないため、ビデオ表示装置は遠隔制御ユニットを備えるものと見なすことができるが、遠隔制御ユニットのみによって操作されることが可能である。
【００１８】
第２の本発明の実施形態にしたがった配置において、代表的な表示データバスを、正常なアクティビティ又は異常なアクティビティに対してモニタすることができる。Ｉ２Ｃバス配置において、例えば、マスターデバイスは、ＳＣＬラインを低くすることにより、ポーリングを承認することが予測される一連のスレーブデバイスをポーリングする。そのようなポーリング及び承認をモニタするために、特定のＯＳＤ表示により、正常なバス及びそれ故正常なシステム操作を推測し、表示することが可能である。例えば、隣接する白又は緑のブロックにより形成されるソリッドバーを、正常なシステム動作に対して選択することが可能である。例えば、感嘆符、疑問符、ＯＨＯＨのようなそれに代わるキャラクタ、又はフラッシングカラードバーの表示により、表示することができる表示異常を示す非標準バスアクティビティを表して、スレーブ装置の承認がないことを演繹することが可能である。同様の方法により、視覚的な表示のためのＯＳＤメッセージキャラクタの好適な使用により、正常なアクティビティ又は予期しないアクティビティのために、スイッチモード電源、チューナ又は位相ロックループにおける模範的な制御ループからのフィードバック信号をモニタすることが可能である。
【００１９】
この本発明の実施形態は、あらゆる数の対象となるデジタル信号及び限られた解像度のアナログ信号に拡張することが可能である。しかしながら、模範的な使い方をしないで済ませる場合、コネクタ２５０における外付けの双方向性シリアルインタフェースの評価から追加の恩恵が得られ、ここでは、オンスクリーン表示のために表示に戻される信号を表示する３４個のＡＳＣＩＩキャラクタのシリアル文字列により発揮される入力能力を用いる赤外線信号エンベロープのサンプリングの間に出力能力が利用される。基本的な本発明の概念は、あらゆる数の対象となる信号に拡張することが可能である。最も単純にして可能な限りコストが掛からない配置は、選択を必要とし、デジタル信号の“高い”状態及び“低い”状態を表すために、ＯＳＤにおいて既存のキャラクタのいくつかを用いる。しかしながら、特定の他のオンスクリーンキャラクタ、例えば、矢頭は、信号変化のオンスクリーン表示を提供することができる。アナログデジタル（Ａ／Ｄ）変換が有効である場合、例えば、マイクロコントローラにおいて、選択されたキャラクタはアナログ信号の簡単なデジタル化を表すことができる。更に、追加処理は、Ｉ２Ｃバスにおけるポーリングの承認又は一連のサンプル間の時間変化の決定のような、一連のサンプルにおける特定のデータパターンの認識を容易にすることができ、ここで、各々のサンプルは更に選択されたキャラクタにより表される。グラフィックベースのオンスクリーン表示能力をもつ更に進化した表示装置は、信号及び状態のＯＳＤ表示を定義し且つ容易にすることにおいて非常に大きい自由度を提供することができる。
【００２０】
本発明の実施形態にしたがった信号波形を表すためにオンスクリーン表示能力を用いることにより、テレビ受信器以外の種々の表示装置に容易に適用することが可能であり、第一級のサービス機能として内部信号の表示を提供するために装置の本来備わっている表示能力を活用する。
【００２１】
例えばエンベロープ信号２２１又はポート２５０からデータを受け取り、そのデータ内にある論理状態を表す特定のキャラクタを選択する、模範的な制御シーケンスを図３に示す。データ表示シーケンスはブロック３００及びブロック３１０において開始し、このとき、どちらのブロックが表示キャラクタによりデータ信号が表されるかを、サービスモードが選択する。遠隔制御データが表示されるとき、サービスモードは、適当な制御コマンドの実行を選択的に可能にするか、又は抑制することができる。ブロック３１５において、データを表すキャラクタの行を組み立てるために用いられるメモリの位置は、テスト３２０における制御データの受け入れを決定することに先立って消去される。
【００２２】
データが受け取られない場合、テスト３２０において結果はＮＯとなり、遠隔制御ボタンを押すこと又は内部のハウスキーピングデータイベントから結果的に得られるデータを待って、ループが形成される。ブロック３２０のテストの結果がＹＥＳの場合、受け取られたデータはサンプリングされ、ブロック３３０において量子化される。
【００２３】
ブロック３３０において、不連続の状態に信号を量子化することは、サンプリングプロセスには不可欠である。デジタル信号は、図２Ａに示すように、例えば、受け取られた信号におけるビットの発生に対応する行又は水平位置におけるオンスクリーン表示の列に位置される２つの可能なキャラクタの１つ、及びサンプリングされた時間により表される、論理状態“０”及び“１”をもつ２つの状態に量子化することが可能であり、有用である。
【００２４】
しかしながら、一部の信号（特定のアナログ信号）は、２つ以上の対象とされる不連続の状態を有することが可能であり、あらゆる周知の手段の１つにより量子化され又はデジタル化されることが可能である。例えば、ブロック３３０の量子化機能はマイクロコントローラ２４０又は４５０により実行され、それ故、非デジタル信号は複数ビットを有するデジタル値として表される。例えば図２Ｂに示すように、そのようなデジタル化されたアナログ信号を、配置されたクローズドキャプションキャラクタを用いて好適に表すことができる。図２Ｂは、４行の最大の列高さを有する３４個のキャラクタをもつ表示幅を示している。列の高さは、例えば、アナログ信号のデジタル表示により可変的に確定することが可能である。例えば、最下位ビットを現すデジタル値は黒く塗りつぶしたブロックで表すことができ、２１、２２、２３及び２４の値は、例えば、列を形成するために配置される白又は黄色のブロックにより表すことができる。それに代えて、一組の表示キャラクタの中から選択することにより、そのような信号を好適に表すことができ、それらの各々は、キャラクタの１つの行においてサンプル毎に１つが位置される、信号の不連続状態を表す。多くの可能な変化及び外挿におけるキャラクタ表示の選択は、結果として得られる視認性表示の有用性に基づいて実施するために決定である。
【００２５】
デジタルアドレスワード又はビットパターンが段階３４０におけるテストのために入力される場合、サンプリング又は量子化された遠隔制御信号データは段階３３５において検討される。段階３３５におけるテストの結果がＮＯである場合、段階３３０からサンプリングされたデータは、後に説明するように、ビット表示ＯＳＤキャラクタの割り当てのために次に進められる。特定のデジタルアドレスワード又はビットパターンは段階３４０においてテストされ、例えば、目標装置の製造メーカ、制御される装置のタイプ、テレビ、ＶＣＲ、セットトップボックス、パーソナルビデオレコーダ等、又は特定の制御コマンドを識別することが可能である。段階３４０における結果がＮＯの場合、ループが形成され、段階３３０で得られるサンプルのモニタリングが継続され、サンプルとユーザが決定するデータの設定との間の適合又は一致を待つ。このようにして、表示キャラクタは、サンプリングされた信号における特定の発生に対して同期されることが可能である。アドレスワード又は制御ビットパターンの検出のとき、ビットシーケンスは、論理値、例えば０及び１を識別するために、及び各々のビットの論理値を表す所定のキャラクタを割り当てるために、段階３４５乃至３６０において解析される。
【００２６】
上述のように、デジタルワードによりアナログ信号を表すことができる。例えば、信号の量子化のために４ビットレンジの値を用いる場合、配列は段階３４５乃至３６０のようになるが、追加の段階により、クローズドキャプション表示アレイにおいて特定のキャラクタ又は特定のキャラクタ位置を識別することができる。図２Ｂは、高さが変化する列によってデジタル値（擬似瞬間アナログ信号の振幅を表す）が視覚的に表される、オンスクリーン表示を示している。
【００２７】
段階３３５からのビット又は段階３４０におけるアドレスの検出に対応して選択されるビットのシーケンスは、論理１値の存在を識別するために段階３４５において解析され、論理１の視覚的オンスクリーン表示を提供する第１の所定のキャラクタの段階３５０における選択をもたらすＹＥＳを伴う。段階３４５のテストの結果がＮＯである場合、第２テストが、論理０の存在を識別する段階３５５において実行され、論理０を表す第２の所定のキャラクタの段階３６０における選択が結果的に得られる。しかしながら、段階３５５におけるテストの結果がＮＯである場合、段階３４５に戻るループが形成され、論理値０及び１を有するデータが得られるまで繰り返される。
【００２８】
段階３５０及び３６０から選択された所定のキャラクタの符号は、段階３６５において行を形成するために検出の順に、例えば、段階３６５においてテストされる３４個のキャラクタで行を満たして、組み合わされる。行が満たされていない場合、ループは段階３４５に戻るように形成され、段階３７０においてＹＥＳが得られて、行が完結するまで、繰り返される。しかしながら、表示することが可能であるキャラクタの最大数は３４であるが、テスト３７０の目標値として、より少ない表示数をマニュアルにより入力することが可能である。複数の行表示の選択は段階３７５において決定される。そのような表示の例を図２Ｂに示し、４つの行の各々が３４個のキャラクタから成ることを示している。このように、段階３７５におけるＹＥＳにより、例えば、３４個のキャラクタをもつ４つの行のアレイが組み合わされ、段階３７５のテストの結果がＮＯになるまで、段階３４５乃至３７５は繰り返される。
【００２９】
競争する１つの行又は行のアレイは、段階３８０における表示のためにオンスクリーン表示ジェネレータに出力される。ＯＳＤキャラクタ表示を伴うせービス条件が診断表示条件を終了する段階３９５にＹＥＳを結合することにより終了されるかどうかを決定するために、段階３８２においてテストが実行される。段階３８２のテストの結果がＮＯである場合、サンプリングされたデータのキャラクタ表示は、段階３８５において測定される所定期間ｄの間に表示される。明らかに、データビットが部分的に表示される時間の長さは、このデータ表示方法に特徴的な擬似リアルタイムに寄与している。この好ましい表示の配置は、一時的又は断続的に生じる信号が、例えば段階３３０において周期的に捕捉され、段階３８５において期間ｄの間に表示される、ところのストレージオシロスコープのように機能するとみなすことができる。更に、期間ｄが、例えば０．５秒又は１秒の期間を有する周期的タイミング関数の期間を表すために設定されている場合、循環的な又は周期的な性質をもつ信号を、このオンスクリーン表示方法を用いて表示することができる。
【００３０】
段階３８５のテストの結果がＹＥＳであるとき、新しいデータの受け取り及び表示のための調整において、前もって組み合わされたデータの行が段階３１５で消去するＹＥＳの結果を伴って、更なるデータが受け取られるかどうかを決定するために、表示期間は終了し、且つ更なるテストが段階３９０において実行される。更なるデータが受け取られない場合、段階３９０のテストの結果はＮＯであり、それ故、段階３９５において、サービスモードは終了し、段階３９９におけるオンスクリーンデータ表示モードは終了することとなる。
【００３１】
本発明における既存のオンスクリーンメッセージ能力を用いることは、表示におけるアナログ又はデジタル信号のどちらかの視覚的表示を提供し、フィールドサービス技術者間にとって簡単でコストパフォーマンスの良い診断評価を容易にする。
【図面の簡単な説明】
【図１】
本発明の実施形態にしたがったオンスクリーン表示の配置を伴うビデオ表示を示す図である。
【図２】
図２Ａ及び２Ｂは、図１の本発明の実施形態の配置にしたがって生成されたオンスクリーン表示キャラクタのアレイを示す図である。
【図３】
図１の本発明の実施形態の配置のための模範的な制御シーケンスを示す図である。
【図１】
2004531108.tif 000003
【図２】
2004531108.tif 000004
【図３】
2004531108.tif 000005
【国際公開パンフレット】
2004531108.tif 000006
2004531108.tif 000007
2004531108.tif 000008
2004531108.tif 000009
2004531108.tif 000010
2004531108.tif 000011
2004531108.tif 000012
2004531108.tif 000013
2004531108.tif 000014
2004531108.tif 000015
2004531108.tif 000016
2004531108.tif 000017
2004531108.tif 000018
2004531108.tif 000019
2004531108.tif 000020
2004531108.tif 000021
2004531108.tif 000022
2004531108.tif 000023
【国際調査報告】
2004531108.tif 000024